(57)【要約】【課題】展示、飾り付けられた立体画像に対する鑑賞者やユーザーの興味や関心、好奇心を、長期にわたり持続させることができる立体表示物展示装置及びその展示方法を提供する。【解決手段】立体表示物展示装置１００は、立体表示物１０がフレーム２０に組み込まれた状態で展示面に展示、飾り付けされる。立体表示物１０はフレーム２０に収納された状態で、一面側に形成された彩色画像３１ａ〜３１ｃが開口部２１ｗから露出し、他面側に形成された熱吸収パターン３２ａ〜３２ｃに対向するように、発熱体４１ａ〜４１ｃが配置される。発熱体４１ａ〜４１ｃは、制御回路部５０により予め設定されたタイミングで電源供給部６０から電力が供給されて、所定のジュール熱を放出させて、立体表示物１０の所定の領域を加熱して膨張させる。【選択図】図１
2014006420.tif 000002
【特許請求の範囲】
【請求項１】
基材の一面側を隆起させて立体画像を形成可能な表示物と、
前記基材の他面側に配置され、所定のエネルギーを放出するエネルギー放出部と、
前記エネルギーを生成するための電力を供給する電源供給部と、
計時機能を備え、所定のタイミングで前記電源供給部から前記エネルギー放出部に前記電力を供給させる制御を行うことにより、前記エネルギー放出部から前記エネルギーを放出させて、前記基材の前記一面側の所定の領域を隆起させる制御回路部と、
前記表示物と前記エネルギー放出部と前記電源供給部と前記制御回路部とを内部に収納し、少なくとも前記基材の前記一面側を表示可能なフレームと、
を有することを特徴とする立体表示物展示装置。
【請求項２】
前記基材は、基材シートの一面側に熱膨張層が形成された熱膨張性シートであり、
前記エネルギー放出部は、前記電源供給部から供給される前記電力に基づいて生成される熱エネルギーを放出する発熱部、又は、前記電力に基づいて生成される赤外線波長を含む光エネルギーを放出する光源であることを特徴とする請求項１に記載の立体表示物展示装置。
【請求項３】
前記基材は、前記一面側を隆起させる前記所定の領域に対応して、前記他面側に前記エネルギー放出部から放出された前記エネルギーを吸収して前記一面側の前記所定の領域に熱として伝達するための熱吸収パターンが形成されていることを特徴とする請求項２記載の立体表示物展示装置。
【請求項４】
前記エネルギー放出部は、前記熱吸収パターンに対向するように局所的に配置されていることを特徴とする請求項３記載の立体表示物展示装置。
【請求項５】
前記エネルギー放出部は、前記基材の前記他面側の略全域に対向するように平面的に配置されていることを特徴とする請求項１乃至３のいずれかに記載の立体表示物展示装置。
【請求項６】
前記エネルギー放出部は、前記基材の前記他面側に近接、又は、密着して配置されていることを特徴とする請求項４又は５に記載の立体表示物展示装置。
【請求項７】
前記フレームは、少なくとも前記基材を、他の基材に交換可能なように収納する構成を有していることを特徴とする請求項１乃至６のいずれかに記載の立体表示物展示装置。
【請求項８】
前記フレームは、少なくとも前記基材と、前記基材の前記他面側に密着して配置された前記エネルギー放出部とを、他の基材及び他のエネルギー放出部に交換可能なように収納する構成を有していることを特徴とする請求項６に記載の立体表示物展示装置。
【請求項９】
基材の一面側を隆起させて立体画像を形成可能な表示物を、前記一面側を表示可能にフレームの内部に収納させ、
所定のタイミングで前記基材の他面側に配置されたエネルギー放出部から、所定のエネルギーを放出させて、前記基材の前記一面側の所定の領域を隆起させる、
ことを特徴とする立体表示物の展示方法。
【請求項１０】
前記所定のタイミングで１乃至複数回、前記エネルギー放出部から前記エネルギーを放出させて、前記基材の前記一面側の前記所定の領域を１乃至複数回隆起させることを特徴とする請求項９記載の立体表示物の展示方法。
【請求項１１】
少なくとも前記タイミング及び前記隆起させる領域は、任意のタイミング及び任意の領域に設定可能であることを特徴とする請求項９又は１０に記載の立体表示物の展示方法。
【請求項１２】
前記基材は、他の基材に交換可能なように前記フレームに収納されることを特徴とする請求項９乃至１１のいずれかに記載の立体表示物の展示方法。
【請求項１３】
前記基材は、基材シートの一面側に熱膨張層が形成された熱膨張性シートであり、
前記エネルギー放出部は、熱エネルギー、又は、赤外線波長を含む光エネルギーを放出することを特徴とする請求項９乃至１２のいずれかに記載の立体表示物の展示方法。
【発明の詳細な説明】
【技術分野】
【０００１】
本発明は、立体表示物展示装置及びその展示方法に関し、特に、立体画像が形成された立体表示物を収納して展示するための立体表示物展示装置、及び、その展示方法に関する。
【背景技術】
【０００２】
従来、基材シートの一面側に、加熱により膨張する発泡性のマイクロカプセルを含有する熱膨張層（又は発泡層）が形成された熱膨張性シート（又は熱発泡性シート）が知られている。この熱膨張性シートに、光吸収性の高い画像パターンを印刷した後、赤外線を含む光を照射することにより、当該画像パターンに対応する領域の熱膨張層を選択的に加熱して膨張（又は発泡）させ、基材シートの一面側に上記画像パターンに対応した立体画像を形成することができる。
【０００３】
このような立体画像形成技術については、例えば特許文献１に、熱膨張性シートの熱膨張層側の表面、又は、基材シート側の裏面に、光吸収性の高い黒色のトナーやインクで印刷画像を形成した後、ハロゲンランプ等により光を照射して当該印刷画像に光を吸収させて発熱させ、印刷画像に対応する領域の熱膨張層のマイクロカプセルを加熱して膨張させることにより、立体画像を形成する手法が記載されている。
【０００４】
また、例えば特許文献２には、熱膨張性シートの熱膨張層側の表面にカラー画像等を形成し、基材シート側の裏面に表面のカラー画像の絵柄等に対応させて、濃淡画像からなる光吸収パターンを形成した後、熱膨張性シートの裏面側から光を照射することにより、光吸収パターンの濃淡に応じた熱を発生させて熱膨張層の膨張量を制御して、立体画像の隆起高さを調整する手法が記載されている。
【先行技術文献】
【特許文献】
【０００５】
【特許文献１】特開昭６４−２８６６０号公報
【特許文献２】特開２００１−１５０８１２号公報
【発明の概要】
【発明が解決しようとする課題】
【０００６】
上述したような立体画像の形成方法によれば、熱膨張性シートに形成された印刷画像やカラー画像に対応して、熱膨張層を選択的に膨張させて隆起させた立体画像を形成することができる。このような立体画像は、一般にフレームや額縁等に収納されて立体表示物として展示、飾り付けられて鑑賞される。
【０００７】
ここで、上述したような立体画像は一旦形成されると、基本的にはその立体状態が保持されて、何ら変化を生じるものではない。そのため、長期間にわたり立体表示物の展示等を続けると、当該立体画像に対する鑑賞者やユーザーの興味や関心、好奇心が薄れて（つまり、飽きられて）しまうという問題を有していた。
【０００８】
そこで、本発明は、上述した問題点に鑑み、展示、飾り付けられた立体画像に対する鑑賞者やユーザーの興味や関心、好奇心を長期にわたり持続させることができる立体表示物展示装置及びその展示方法を提供することを目的とする。
【課題を解決するための手段】
【０００９】
本発明に係る立体表示物展示装置は、
基材の一面側を隆起させて立体画像を形成可能な表示物と、
前記基材の他面側に配置され、所定のエネルギーを放出するエネルギー放出部と、
前記エネルギーを生成するための電力を供給する電源供給部と、
計時機能を備え、所定のタイミングで前記電源供給部から前記エネルギー放出部に前記電力を供給させる制御を行うことにより、前記エネルギー放出部から前記エネルギーを放出させて、前記基材の前記一面側の所定の領域を隆起させる制御回路部と、
前記表示物と前記エネルギー放出部と前記電源供給部と前記制御回路部とを内部に収納し、少なくとも前記基材の前記一面側を表示可能なフレームと、
を有することを特徴とする。
【００１０】
本発明に係る立体表示物の展示方法は、
基材の一面側を隆起させて立体画像を形成可能な表示物を、前記一面側を表示可能にフレームの内部に収納させ、
所定のタイミングで前記基材の他面側に配置されたエネルギー放出部から、所定のエネルギーを放出させて、前記基材の前記一面側の所定の領域を隆起させる、
ことを特徴とする。
【発明の効果】
【００１１】
本発明によれば、展示、飾り付けられた立体画像に対する鑑賞者やユーザーの興味や関心、好奇心を、長期にわたり持続させることができる。
【図面の簡単な説明】
【００１２】
【図１】本発明に係る立体表示物展示装置の第１の実施形態を示す概略構成図である。
【図２】第１の実施形態に係る立体表示物展示装置に適用される制御回路部及びその周辺構成を示す概略構成図である。
【図３】第１の実施形態に係る立体表示物展示装置における立体表示物の展示方法の一例を示すフローチャートである。
【図４】第１の実施形態に係る立体表示物展示方法の各ステップを示す概略図（その１）である。
【図５】第１の実施形態に係る立体表示物展示方法の各ステップを示す概略図（その２）である。
【図６】第１の実施形態に係る立体表示物展示方法の各ステップを示す概略図（その３）である。
【図７】第１の実施形態に係る立体表示物展示方法の各ステップを示す概略図（その４）である。
【図８】第１の実施形態に係る立体表示物展示方法の各ステップを示す概略図（その５）である。
【図９】第１の実施形態に係る立体表示物展示方法における立体表示物の表面状態の変化を示す概略図である。
【図１０】本発明に係る立体表示物展示装置の第２の実施形態を示す概略断面図である。
【図１１】第２の実施形態に係る立体表示物展示装置に適用される制御回路部及びその周辺構成を示す機能構成図である。
【図１２】第２の実施形態に係る立体表示物展示方法における追加隆起の形成方法を示す概略断面図である。
【図１３】本発明に係る立体表示物展示装置の第３の実施形態を示す概略断面図である。
【図１４】第３の実施形態に係る立体表示物展示装置に適用される立体表示物を示す概略構成図である。
【図１５】第３の実施形態に係る立体表示物展示装置に適用される制御回路部及びその周辺構成を示す機能構成図である。
【図１６】第３の実施形態に係る立体表示物展示方法における追加隆起の形成方法を示す概略断面図である。
【発明を実施するための形態】
【００１３】
以下、本発明に係る立体表示物展示装置及びその展示方法について、実施形態を示して詳しく説明する。
＜第１の実施形態＞
（立体表示物展示装置）
まず、本発明に係る立体表示物展示装置について説明する。
【００１４】
図１は、本発明に係る立体表示物展示装置の第１の実施形態を示す概略構成図である。図１（ａ）は、本実施形態に係る立体表示物展示装置の外観を示す概略斜視図であり、図１（ｂ）は、図１（ａ）に示す立体表示物展示装置におけるＩＢ−ＩＢ線（本明細書においては図１（ａ）中に示したローマ数字の「１」に対応する記号として便宜的に「Ｉ」を用いる。）に沿った断面構造を示す概略断面図である。なお、図１（ａ）においては、図示を明瞭にするために、彩色画像に便宜的にハッチングを施して示した。
【００１５】
本発明に係る立体表示物展示装置の第１の実施形態は、例えば図１（ａ）に示すように、立体表示物１０がフレーム２０や額縁に組み込まれた（額装された）状態で、壁面等の展示面に展示、飾り付けされる。立体表示物１０は、例えば図１（ａ）、（ｂ）に示すように、一面側（図１（ａ）の紙面手前側、又は、図１（ｂ）の上面側）に所望の彩色画像３１ａ〜３１ｃが形成されている。ここでは、彩色画像３１ａ、３１ｃは立体表示物１０の一面側から所定の隆起高さで突出するように形成された立体画像であり、彩色画像３１ｂは立体表示物１０の一面側に形成された平面画像である場合を示す。また、立体表示物１０の他面側には、所定の熱吸収パターン３２ａ〜３２ｃ（図示の都合上、図１（ｂ）には熱吸収パターン３２ａ、３２ｂのみを示す；図２参照）が形成されている。このような立体表示物１０は、熱吸収パターン３２ａ〜３２ｃを介して伝達される熱エネルギーにより一面側が隆起するシート状の素材であって、後述するように、熱膨張性シートを適用することができる。
【００１６】
なお、本実施形態においては、立体表示物１０は、フレーム２０に収納された初期状態において、図１（ａ）、（ｂ）に示すように、一面側が選択的に隆起した立体画像を有する場合について示すが、当該一面側に立体画像が全く形成されていない、平面画像からなる彩色画像のみを有するものであってもよい。また、本実施形態において、彩色画像とは、カラー画像であってもよいし、モノクロ画像やモノトーン画像であってもよく、さらに、画像だけでなく文字情報を含むものであってもよいし、文字情報のみからなるものであってもよい。
【００１７】
フレーム２０は、例えば図１（ａ）、（ｂ）に示すように、開口部２１ｗが設けられた枠状部材２１と、裏板２２と、を有している。枠状部材２１と裏板２２により形成されるフレーム２０の収納部２３には、上述した立体表示物１０と、発熱体４１ａ〜４１ｃ（図示の都合上、図１（ｂ）には熱吸収パターン３２ａ、３２ｂに対向して設けられた発熱体４１ａ、４１ｂのみを示す；図２参照）と、回路基板上に設けられた制御回路部５０と、電源供給部６０と、が収納されている。ここで、フレーム２０の収納部２３に収納された立体表示物１０は、立体画像の形成面である一面側が、枠状部材２１に設けられた開口部２１ｗを介して、視野側に表示可能に露出されている。なお、枠状部材２１に設けられた開口部２１ｗに例えばガラス板やアクリル板などの透明の蓋部材を設けても良く、要は視野側へ表示可能であればよい。また、収納部２３に収納されるこれらの構成は、例えば、枠状部材２１に対して裏板２２が着脱可能に設けられ、収納部２３に各構成を収納した後、裏板２２を閉止することにより組み付けられているものであってもよいし、フレーム２０に一体的かつ固定的に組み込まれているものであってもよい。
【００１８】
発熱体４１ａ〜４１ｃは、立体表示物１０の他面側に形成された熱吸収パターン３２ａ〜３２ｃの一部の領域又は全域に対向するように局所的に配置されている。ここで、発熱体４１ａ〜４１ｃは、立体表示物１０の他面側に対して、図１（ｂ）に示すように、所定の間隙を有して配置されているものであってもよいし、立体表示物１０の他面側に近接又は密着するように配置されているものであってもよい。発熱体４１ａ〜４１ｃを立体表示物１０の他面側に近接又は密着するように配置した場合には、後述するように発熱体４１ａ〜４１ｃから放出される熱エネルギーを効率的に立体表示物１０に伝達することができる。また、発熱体４１ａ〜４１ｃは、後述する電源供給部６０から電力が供給（通電）されることにより、熱を直接放出する電熱線（発熱抵抗体）を適用することができる。
【００１９】
なお、発熱体４１ａ〜４１ｃは、上述した電熱線に限定されるものではなく、立体表示物１０の他面側に形成された熱吸収パターン３２ａ〜３２ｃを介して、立体表示物１０に所望の熱エネルギーを伝達することができるものであれば、他の熱源を適用するものであってもよい。また、他の形態として、ハロゲンランプのような赤外線波長（広くは遠赤外線波長も意味する）を含む光を放出する光源等を適用するものであってもよい。この場合には、熱吸収パターンは、光エネルギーを熱エネルギーに変換する光熱変換特性を有する材料（例えば、カーボンブラック等）により形成される。
【００２０】
制御回路部５０は、回路基板上に形成されて収納部２３に収納され、予め設定されたタイミングで（すなわち、時間の経過に基づいて）上記発熱体４１ａ〜４１ｃに対して電源供給部６０から所定の電力を供給させて、所定のジュール熱を放出させる制御を行う。具体的な構成については後述する。
【００２１】
電源供給部６０は、市販の乾電池やボタン電池等の一次電池、リチウムイオン電池やニッケル水素電池等の二次電池（充電池）、家庭用のコンセントを介して供給される商用電源等の電源を適用することができる。電源供給部６０は、制御回路部５０の各構成に駆動電力を供給するとともに、当該制御回路部５０からの指令に基づいて各発熱体４１ａ〜４１ｃへの電力の供給が制御される。
【００２２】
ここで、本実施形態に係る立体表示物展示装置１００に適用される制御回路部５０について説明する。
図２は、本実施形態に係る立体表示物展示装置に適用される制御回路部及びその周辺構成を示す概略構成図である。
【００２３】
制御回路部５０は、例えば図２に示すように、概略、中央演算回路（以下、「ＣＰＵ」と略記する）５１と、読出専用メモリ（以下、「ＲＯＭ」と略記する）５２と、ランダムアクセスメモリ（以下、「ＲＡＭ」と略記する）５３と、タイマー５４と、入出力コントローラ（以下、「Ｉ／Ｏコントローラ」と略記する）５５と、インターフェース（以下、「Ｉ／Ｆ」と略記する）部５６と、を有している。
【００２４】
ＲＯＭ５２は、立体表示物展示装置１００の動作制御に関する制御プログラムを格納する。ＣＰＵ５１は、この制御プログラムに従って、ＣＰＵ５１に接続された他の構成に各種の指令信号を送出することにより、立体表示物展示装置１００における動作を制御する（詳しくは後述する）。また、ＲＡＭ５３は、立体表示物展示装置１００の動作制御中にＣＰＵ５１等で生成される各種データや数値、ユーザー等により入力された立体表示物１０の一面側における追加隆起に関連する各種設定データ等を一時保存する。
【００２５】
タイマー５４は、暦上の日時情報を出力する時計機能と、特定の時間の経過を計測する計時機能を有している。タイマー５４は、ＣＰＵ５１が立体表示物１０の一面側における追加隆起の形成タイミングとなる特定の日時の到来を検出するために、時計機能に基づく日時情報を常にＣＰＵ５１に出力する。すなわち、ＣＰＵ５１は、タイマー５４から出力される日時情報を常に監視し、予め設定された形成タイミング（特定日時）を検出した時点で、当該形成タイミングに関連付けられた形成領域に対応して配置された発熱体４１ａ〜４１ｃに電力が供給（通電）されるように指令信号（発熱制御信号）をＩ／Ｏコントローラ５５に送出する。これにより、記念日等の特定の日時に立体表示物１０の一面側を追加隆起させて、当該表面状態を変化させることができる。
【００２６】
また、タイマー５４は、ＣＰＵ５１が立体表示物１０の一面側における追加隆起の形成タイミングを検出するために、計時機能に基づくタイマー信号をＣＰＵ５１に出力する。すなわち、タイマー５４は、ＣＰＵ５１から出力される指令信号（計時制御信号）に基づいて、カウントダウン又はカウントアップ動作を開始し、予め設定された形成タイミングに応じた時間が経過した時点でタイマー信号をＣＰＵ５１に出力する。ＣＰＵ５１は、タイマー５４から出力されるタイマー信号を受信した時点で、当該形成タイミングに関連付けられた形成領域に対応して配置された発熱体４１ａ〜４１ｃに電力が供給（通電）されるように指令信号（発熱制御信号）をＩ／Ｏコントローラ５５に送出する。これにより、数年後や数日後等の特定の時間の経過時に立体表示物１０の表面状態を変化させることができる。
【００２７】
ここで、複数の異なる形成タイミングが設定されている場合には、ＣＰＵ５１は、各形成タイミングを検出するたびに上記の指令信号（発熱制御信号）をＩ／Ｏコントローラ５５に送出する。なお、この指令信号（発熱制御信号）には、発熱体４１ａ〜４１ｃを指定する情報とともに、追加隆起させる領域（形成領域）を所望の高さに隆起させるための、電力量に関する情報が含まれているものであってもよい。
【００２８】
Ｉ／Ｏコントローラ５５は、ＣＰＵ５１からの指令信号（発熱制御信号）に基づいて、各発熱体４１ａ〜４１ｃに接続された制御スイッチＳＷａ〜ＳＷｃのオン、オフ状態を設定することにより、電源供給部６０から各発熱体４１ａ〜４１ｃへの電力の供給状態（通電状態）を制御する。ここでは、ＣＰＵ５１からの指令信号（発熱制御信号）に基づいて指定された発熱体４１ａ〜４１ｃに供給される電力量やその供給時間を制御することにより、当該発熱体４１ａ〜４１ｃにおいて放出される熱エネルギーの総量が制御されて、追加隆起させる形成領域における隆起高さが制御される。
【００２９】
Ｉ／Ｆ部５６は、立体表示物展示装置１００と、専用端末や携帯情報端末、パーソナルコンピュータ等の外部の情報処理装置（図示を省略）とを無線や有線による通信、あるいは、メモリカード等の記憶媒体を介して、データの入出力を行うインターフェースである。Ｉ／Ｆ部５６は、例えばユーザーや作業者等が情報処理装置を用いて、立体表示物１０の一面側を追加隆起させる形成領域や形成タイミング、隆起高さに関する設定データを入力する際に使用される。ここで、これらの設定データが、予めＲＯＭ５２やＲＡＭ５３に保存されている場合には、立体表示物展示装置１００はＩ／Ｆ部５６を省略した構成であってもよい。
【００３０】
（立体表示物展示方法）
次に、上述した構成を有する立体表示物展示装置１００における立体表示物１０の展示方法について説明する。ここでは、立体表示物１０として熱膨張性シートを適用し、予め一面側に立体画像が形成された状態の熱膨張性シートをフレーム２０に収納し、その後に、熱膨張性シートの複数の領域を、各々異なるタイミングで選択的に加熱して隆起させる場合について説明する。
【００３１】
図３は、本実施形態に係る立体表示物展示装置における立体表示物の展示方法の一例を示すフローチャートである。図４〜図８は、本実施形態に係る立体表示物展示方法の各ステップを示す概略図である。図４〜図８において、各図の（ａ）は、立体表示物及び立体表示物展示装置の外観を示す概略斜視図であり、各図の（ｂ）は、各図の（ａ）に示す立体表示物及び立体表示物展示装置におけるIVＢ−IVＢ〜VIIIＢ−VIIIＢ線（本明細書においては各図の（ａ）中に示したローマ数字の「４」、「５」、「６」、「７」、「８」の各々に対応する記号として、便宜的に「IV」、［Ｖ］、「VI」、「VII」、「VIII」を用いる。）に沿った断面構造を示す概略断面図である。また、図９は、本実施形態に係る立体表示物展示方法における立体表示物の表面状態の変化を示す概略図である。なお、図４〜図８の各図の（ａ）及び図９においては、図示を明瞭にするために、彩色画像に便宜的にハッチングを施して示した。また、図４〜図８の各図の（ｂ）においては、図示の都合上、基材シートの断面のハッチングを省略した。
【００３２】
本実施形態に係る立体表示物展示方法は、例えば図３に示すように、大別して、立体表示物準備ステップＳ１０１と、フレーム組み込みステップＳ１０２と、展示動作設定ステップＳ１０３と、設定時間検出ステップＳ１０４と、追加隆起形成ステップＳ１０５と、最長設定時間検出ステップＳ１０６と、を有している。
【００３３】
立体表示物準備ステップＳ１０１においては、立体表示物１０となる熱膨張性シートの一面側に初期状態となる所望の立体画像を形成する。具体的には、図４（ａ）、（ｂ）に示すように、立体表示物１０となる熱膨張性シート１０ｘは、基材シート１１の一面側（図面上面側）に熱膨張層１２が形成された構成を有している。この熱膨張性シート１０ｘの一面側（図面上面側）に所望の彩色画像３１ａ〜３１ｃからなる画像パターンを形成し、また、他面側（図面下面側）に所望の領域を追加隆起させるための熱吸収パターン３２ａ〜３２ｃを形成する。なお、図４（ｂ）においては、図示の都合上、熱吸収パターン３２ａ、３２ｂのみを示した。ここで、熱膨張性シート１０ｘの他面側に形成される熱吸収パターン３２ａ〜３２ｃは、フレーム２０に収納される前の立体表示物１０に予め形成される立体画像に対応する領域、及び、フレーム２０に収納された後に追加隆起させる形成領域に対応する領域に形成される。また、この熱吸収パターン３２ａ〜３２ｃは、例えば光熱変換特性を有するカーボンブラック等のトナーやインクにより形成される。
【００３４】
次いで、図５（ａ）、（ｂ）に示すように、初期状態となる立体画像を形成する領域に対応して設けられた熱吸収パターン３２ａ、３２ｃのみを露出させた状態で、熱膨張性シート１０ｘの他面側から例えばハロゲンランプ等の光源から赤外線波長を含む光ＬＴを均一に照射する。ここで、所望の領域の熱吸収パターン３２ａ、３２ｃのみに光を照射する手法としては、例えば図５（ｂ）に示すように、光源（図示を省略）と熱膨張性シート１０ｘとの間に遮光板３３等を配置して、光ＬＴが照射されないように制御する。
【００３５】
これにより、熱吸収パターン３２ａ、３２ｃに光を吸収させて熱エネルギーに変換させ、基材シート１１を介して、当該熱吸収パターン３２ａ、３２ｃに対応する領域の熱膨張層１２に当該熱エネルギーを伝達する。熱膨張層１２は、伝達された熱エネルギーに応じて、内部のマイクロカプセルが加熱されて膨張（発泡）することにより、熱膨張性シート１０ｘの表面から所定の高さになるように選択的に隆起する。このようにして、図５（ａ）、（ｂ）に示すように、熱膨張性シート１０ｘの一面側に、熱吸収パターン３２ａ、３２ｃに対応する隆起領域１２ａ、１２ｃを有する立体画像が形成された初期状態の立体表示物１０が形成される。
【００３６】
なお、本実施形態においては、フレーム２０に収納される初期状態の立体表示物１０として、図５（ａ）、（ｂ）に示したように、熱膨張性シート１０ｘの一面側に彩色画像３１ａ〜３１ｃが形成され、かつ、任意の彩色画像３１ａ、３１ｃが選択的に隆起した立体画像を有する場合について示したが、本発明はこれに限定されるものではない。例えば、熱膨張性シート１０ｘの一面側に彩色画像３１ａ〜３１ｃのみが形成され、立体画像を有していない（すなわち、隆起していない）ものを初期状態の立体表示物１０とするものであってもよい。
【００３７】
フレーム組み込みステップＳ１０２においては、一面側に所望の立体画像が形成された熱膨張性シート１０ｘからなる立体表示物１０をフレーム２０に組み込む。具体的には、図１（ａ）、（ｂ）及び図６（ａ）、（ｂ）に示すように、立体表示物１０は、枠状部材２１に設けられた開口部２１ｗから、一面側に形成された彩色画像３１ａ〜３１ｃ及び立体画像が露出するように、フレーム２０の収納部２３に収納される。このとき、図６（ｂ）に示すように、フレーム２０の収納部２３に収納された立体表示物１０の他面側には、熱吸収パターン３２ａ〜３２ｃ（図示の都合上、３２ａ、３２ｂのみを示す）が形成されている。そして、フレーム２０の収納部２３には、これらの熱吸収パターン３２ａ〜３２ｃのうち、立体表示物１０の一面側を追加隆起させる形成領域に対応する領域に対向するように、発熱体４１ａ〜４１ｃ（図示の都合上、４１ａ、４１ｂのみを示す）が配置されている。
【００３８】
ここで、発熱体４１ａ〜４１ｃとして電気エネルギーを直接熱エネルギーに変換する電熱線等を用いる場合には、立体表示物１０の一面側を追加隆起させる形成領域に対応させて線材を配設し、図２に示したように、それらの一端側が各々、制御スイッチＳＷａ〜ＳＷｃを介して電源供給部６０に接続され、他端側が接地電位に接続される。
【００３９】
展示動作設定ステップＳ１０３においては、立体表示物展示装置１００における立体表示物１０の展示動作を設定する。具体的には、フレーム２０に収納された立体表示物１０において、その一面側を追加隆起させる形成領域や形成タイミング、隆起高さに関する設定データを設定する。ここで、追加隆起させる形成領域や形成タイミング、隆起高さに関する各設定データは、制御回路部５０のＩ／Ｆ部５６を介して入力され、相互に関連付けた形式でＲＡＭ５３に保存される。このような設定データについては、例えば、本実施形態に係る立体表示物展示装置１００を使用するユーザーや販売業者の作業者等が専用端末や携帯情報端末、パソコン等を用いることにより、制御回路部５０に設けられたＩ／Ｆ部５６を介して、任意の数値を設定することができる。すなわち、例えば誕生日や結婚記念日等の個人の記念日やイベントに対応させて、立体表示物１０の展示動作を任意に（柔軟）に設定することができる。ここで、追加隆起の形成タイミングについては、暦上の年月日や日時、季節の変わり目等を指定するものであってもよいし、何年後や何日後等の経過時間を指定するものであってもよい。
【００４０】
なお、上記の設定データの設定方法の他の形態として、立体表示物展示装置１００の製造業者や販売業者の作業者等が、設定データを制御プログラム中に予め組み込んで制御回路部５０のＲＯＭ５２に格納しておくものであってもよい。この場合には、立体表示物１０の展示動作が予め規定されたものになるが、例えば正月やクリスマス、こどもの日等の暦に基づく一般的なイベントに対応させて、立体表示物１０を展示動作させることができる。また、この場合には、上記の設定データを設定する展示動作設定ステップＳ１０３を省略することができる。
【００４１】
そして、立体表示物１０の展示動作に関する設定データが設定された立体表示物展示装置１００において、例えば図を省略した動作スイッチをオン操作することにより、電源供給部６０から制御回路部５０の各構成に駆動電力が供給されるとともに、タイマー５４において計時動作が開始される。
【００４２】
設定時間検出ステップＳ１０４においては、制御回路部５０のＣＰＵ５１が、タイマー５４における計時動作により、予め設定された立体表示物１０の一面側における追加隆起の形成タイミング（設定時間）に到達したか否かを検出する。
【００４３】
追加隆起形成ステップＳ１０５においては、ＣＰＵ５１が発熱体４１ａ〜４１ｃに所定の電力を供給する（通電させる）制御を行うことにより、予め設定された領域の熱膨張層を加熱して隆起（追加隆起）させる。具体的には、上記の設定時間検出ステップＳ１０４において、ＣＰＵ５１が予め設定された形成タイミング（便宜的に「第１の形成タイミング」と記す）に到達したと検出すると、当該第１の形成タイミングに関連付けて保存された、追加隆起される形成領域及び隆起高さに関する設定データに基づいて、制御回路部５０のＩ／Ｏコントローラ５５が、発熱体４１ｂに接続された制御スイッチＳＷｂをオン動作させる。これにより、電源供給部６０から発熱体４１ｂに所定の電力が供給されて、図７（ｂ）中に太線枠で示すように、発熱体４１ｂから所定のジュール熱が放出され、当該発熱体４１ｂに対向して立体表示物１０（熱膨張性シート１０ｘの基材シート１１）の他面側に形成された熱吸収パターン３２ｂを介して、所望の領域の熱膨張層１２が加熱されて膨張（発泡）する。ここでは、図７（ａ）、（ｂ）に示すように、熱吸収パターン３２ｂは、彩色画像３１ｂの全域に対応するように形成されているので、彩色画像３１ｂ直下の熱膨張層１２が膨張して、所定の高さになるように隆起した隆起領域１２ｂが形成される。すなわち、ＣＰＵ５１により立体表示物１０の表面状態を変化させる制御が実行される。
【００４４】
最長設定時間検出ステップＳ１０６においては、ＣＰＵ５１が直近の設定時間検出ステップＳ１０４において検出された形成タイミングが、最後の形成タイミング（最長設定時間）であったか否かを判断する。そして、ＣＰＵ５１が検出した形成タイミングが最後の形成タイミングではないと判断された場合（例えば、第１の形成タイミングである場合）には、上述した設定時間検出ステップＳ１０４及び追加隆起形成ステップＳ１０５からなる一連の処理を再度実行する。具体的には、上記の設定時間検出ステップＳ１０４において、ＣＰＵ５１が上述した第１の形成タイミングの次の形成タイミング（第２の形成タイミング）に到達したと検出すると、追加隆起形成ステップＳ１０５において、ＣＰＵ５１は、当該第２の形成タイミングに関連付けて保存された、追加隆起される形成領域及び隆起高さに関する設定データに基づいて、Ｉ／Ｏコントローラ５５が発熱体４１ａに接続された制御スイッチＳＷａをオン動作させる。これにより、電源供給部６０から発熱体４１ａに所定の電力が供給されて、図８（ｂ）中に太線枠で示すように、発熱体４１ａから所定のジュール熱が放出され、当該発熱体４１ａに対向して立体表示物１０（熱膨張性シート１０ｘの基材シート１１）の他面側に形成された熱吸収パターン３２ａを介して、所望の領域の熱膨張層１２が加熱されて膨張（発泡）する。ここでは、図８（ａ）、（ｂ）に示すように、熱吸収パターン３２ａは、彩色画像３１ａの一部の領域に対応するように形成されているので、当該領域の熱膨張層１２のみが膨張して、所定の高さになるように隆起した隆起領域１２ｄが形成される。すなわち、ＣＰＵ５１により立体表示物１０の表面状態をさらに変化させる制御が実行される。
【００４５】
このような設定時間検出ステップＳ１０４及び追加隆起形成ステップＳ１０５からなる一連の処理は、ＣＰＵ５１により直近の追加隆起形成ステップＳ１０５の対象となった形成タイミングが、最後の形成タイミングであると判断されるまで繰り返し実行される。そして、最後の形成タイミングが検出された場合には、上述した立体表示物１０の表面状態を変化させる制御を終了する。
【００４６】
このように、本実施形態に係る立体表示物の展示方法によれば、図９（ａ）〜（ｃ）に示すように、立体表示物１０をフレーム２０に組み込んで（額装して）、壁面等の展示面に展示、飾り付けた状態で、時間の経過に応じて所定の領域を順次追加隆起させることができ、立体表示物１０の表面状態を変化させることができる。したがって、立体表示物の鑑賞者やユーザーに当該立体画像がいつか何かが変化するかもしれないという期待を抱かせることができ、鑑賞者やユーザーの興味や関心、好奇心を長期にわたり持続させることができる。また、フレーム２０に収納された立体表示物１０の立体画像自体が変化するという、鑑賞者やユーザーが予想しない特異な現象を体験させることができるので、鑑賞者やユーザー等の個人的な利用のみならず、商業利用や社会的な啓発活動等での利用においても高い訴求力を発揮することができる。
【００４７】
なお、上述した立体表示物の展示方法に示した立体画像の所望の領域を追加隆起させる一連の処理（ステップＳ１０４〜Ｓ１０６）においては、初期状態の立体表示物１０の表面が隆起していない領域と、すでに表面が隆起して立体画像が形成された領域を、所定の形成タイミングで順次追加隆起させて表面状態を変化させる場合を示したが、本発明はこれに限定されるものではない。すなわち、同一の領域を複数回にわたり隆起させるものであってもよいし、例えばすでに隆起している領域の一部又は全部を含む領域を、さらに隆起させるものであってもよい。さらに、このような追加隆起の形成方法を複数種類組み合わせて、立体表示物１０の表面を１乃至複数回、複合的に隆起させるものであってもよい。
【００４８】
＜第２の実施形態＞
次に、本発明に係る立体表示物展示装置の第２の実施形態について説明する。
上述した第１の実施形態においては、フレーム２０に収納された立体表示物１０の一面側を追加隆起させる形成領域（隆起領域１２ａ〜１２ｃ）に対応させて、当該他面側に局所的に発熱体４１ａ〜４１ｃが配置された構成について説明した。第２の実施形態においては、立体表示物１０の他面側の略全域に対向するように平面的に発熱体が配置され、追加隆起させる形成領域に対応して発熱体を局所的に発熱制御する構成を有している。
【００４９】
図１０は、本発明に係る立体表示物展示装置の第２の実施形態を示す概略断面図である。図１１は、本実施形態に係る立体表示物展示装置に適用される制御回路部及びその周辺構成を示す機能構成図である。ここで、上述した第１の実施形態と同等の構成については同一の符号を付してその説明を簡略化する。
【００５０】
第２の実施形態に係る立体表示物展示装置は、例えば図１０に示すように、上述した第１の実施形態に示した構成において、フレーム２０に収納された立体表示物１０の他面側（図面下面側）の略全域に対向するように、平面的な広がりを有する発熱部４５が配置されている。本実施形態に適用される発熱部４５は、例えば図１１に示すように、例えばドット状の発熱体４１や、微小な単位面積を有する発熱体４１を、複数個マトリクス状に配列した構成を有し、制御回路部５０のＩ／Ｏコントローラ５５に接続されている。
【００５１】
また、フレーム２０に収納される立体表示物１０は、図１０に示すように、上述した第１の実施形態と同様に、熱膨張性シートの一面側（図面上面側）に彩色画像３１ａ〜３１ｃ（図示の都合上、彩色画像３１ａ、３１ｂのみを示す；図１（ａ）参照）及び立体画像が形成され、他面側に立体画像及び追加隆起させる形成領域に対応して熱吸収パターン３２ａ〜３２ｃが形成されている。また、ＲＡＭ５３には、上述した第１の実施形態と同様に、に示した立体表示物の展示方法に示した展示動作設定ステップＳ１０３において、立体表示物１０の一面側を追加隆起させる形成領域や形成タイミング、隆起高さが相互に関連付けて保存される。
【００５２】
図１２は、本実施形態に係る立体表示物展示方法における追加隆起の形成方法を示す概略断面図である。ここでは、上述した第１の実施形態に示した立体表示物の展示方法のフローチャートを参照しつつ説明する。なお、第１の実施形態と同等の処理ステップについては同一の符号を付してその説明を簡略化する。また、図１２においても、図示の都合上、基材シートの断面のハッチングを省略した。
【００５３】
上述した構成を有する立体表示物展示装置１００における立体表示物１０の展示方法は、上述した第１の実施形態に示したフローチャート（図３参照）において、まず、予め一面側に立体画像が形成された熱膨張性シートからなる立体表示物１０をフレーム２０の収納部２３に収納する（立体表示物準備ステップＳ１０１、フレーム組み込みステップＳ１０２）。次いで、展示動作設定ステップＳ１０３において、立体表示物１０の一面側を追加隆起させる形成領域や形成タイミング、隆起高さに関する設定データが設定され、相互に関連付けて保存される。
【００５４】
そして、制御回路部５０のタイマー５４において計時動作が開始されると、設定時間検出ステップＳ１０４、追加隆起形成ステップＳ１０５及び最長設定時間検出ステップＳ１０６からなる一連の処理を繰り返し実行する。具体的には、設定時間検出ステップＳ１０４において、ＣＰＵ５１により予め設定された追加隆起の第１の形成タイミングが検出されると、当該第１の形成タイミングに関連付けて保存された、当該追加隆起される形成領域及び隆起高さに関する設定データに基づいて、図１１に示した発熱部４５の所定の位置の発熱体４１に対して、電源供給部６０から所定の電力が供給される。
【００５５】
すなわち、ＣＰＵ５１は、第１の形成タイミングに関連付けて保存された形成領域に対応する位置に配置された発熱体４１を指定するアドレス情報をＩ／Ｏコントローラ５５に出力する。Ｉ／Ｏコントローラ５５は、このアドレス情報に基づいて、発熱部４５の所定の位置の発熱体４１に対して、電源供給部６０から所定の電力が供給されるように制御する。ここで、発熱部４５が図１１に示したように、複数の発熱体４１をマトリクス状に配列した構成を有している場合には、発熱部４５の所定の位置の発熱体４１を指定するアドレス情報は、例えばｘｙ座標データの形式で設定される。
【００５６】
これにより、図１２（ａ）中に太線枠で示すように、発熱部４５のうち、上記アドレスが指定されて所定の電力が供給された発熱体４１から所定のジュール熱が放出される。このジュール熱は、当該発熱体４１に対向して立体表示物１０の他面側に形成された熱吸収パターン３２ｂを介して熱膨張層１２に伝達され、所望の領域の熱膨張層１２が加熱されて膨張することにより、所定の高さの隆起領域１２ｂが形成される。
【００５７】
次いで、上記と同様に、ＣＰＵ５１により予め設定された追加隆起の第２の形成タイミングが検出されると、当該第２の形成タイミングに関連付けられたアドレス情報に基づいて、発熱部４５の所定の位置の発熱体４１に対して、電源供給部６０から所定の電力が供給される。これにより、図１２（ｂ）中に太線枠で示すように、発熱部４５のうち、上記アドレスが指定されて所定の電力が供給された発熱体４１から所定のジュール熱が放出される。このジュール熱は、当該発熱体４１に対向して立体表示物１０の他面側に形成された熱吸収パターン３２ａを介して熱膨張層１２に伝達され、所望の領域の熱膨張層１２が加熱されて膨張することにより、所定の高さの隆起領域１２ｄが形成される。
【００５８】
このような一連の処理は、ＣＰＵ５１により予め設定された全ての形成タイミング（すなわち、最後の形成タイミング）が検出されて全ての追加隆起が形成されるまで繰り返し実行される。
【００５９】
このように、本実施形態においても、上述した第１の実施形態（図９参照）と同様に、フレーム２０に組み込まれた立体表示物１０を、設定した時間（形成タイミング）ごとに所定の領域を順次追加隆起させることができ、立体表示物１０の表面状態を変化させることができる。したがって、立体表示物の鑑賞者やユーザーの興味や関心、好奇心を長期にわたり持続させることができる。
【００６０】
さらに、本実施形態においては、フレーム２０に収納された立体表示物１０の他面側の全域に対向するように発熱部４５が配置され、制御回路部５０により予め設定された形成領域に対応する位置の発熱体４１を指定して発熱させ、所望の領域を追加隆起させることができる。したがって、フレームに立体表示物を差し替えるように収納（交換）することにより、同一のフレームを継続的に利用することができる。この場合、差し替えた立体表示物の絵柄に応じて、追加隆起させる形成領域や形成タイミング、隆起高さに関する設定データを再設定する簡易な操作で、所望の領域を追加隆起させて表面状態を変化させることができるので、使い勝手がよく、経済的な立体表示物展示装置を提供することができる。
【００６１】
なお、本実施形態においても、立体表示物（熱膨張性シート）の熱膨張層に熱エネルギーを供給する構成として、熱エネルギーを直接放出する発熱体又は発熱部を適用する構成について説明したが、赤外線波長を含む光（光エネルギー）を放出する光源を適用するものであってもよい。
【００６２】
＜第３の実施形態＞
次に、本発明に係る立体表示物展示装置の第３の実施形態について説明する。
上述した第１及び第２の実施形態においては、一面側に立体画像が形成された初期状態の立体表示物１０を準備し、当該立体表示物１０をフレーム２０に収納することにより、立体表示物１０の他面側に発熱体４１ａ〜４１ｃ又は発熱部４５が一定の間隙を有して、あるいは、近接して配置される構成について説明した。第３の実施形態においては、立体表示物１０の他面側に発熱部が密着して配置、又は、貼り付けられた構成を準備し、この立体表示物及び発熱部をフレームに収納する構成を有している。
【００６３】
図１３は、本発明に係る立体表示物展示装置の第３の実施形態を示す概略断面図である。図１４は、本実施形態に係る立体表示物展示装置に適用される立体表示物を示す概略構成図である。図１４（ａ）は、本実施形態に係る立体表示物展の概略構成を示す分解斜視図であり、図１４（ｂ）は、図１４（ａ）に示す立体表示物展示装置におけるXIVＢ−XIVＢ線（本明細書においては図１４（ａ）中に示したローマ数字の「１４」に対応する記号として便宜的に「XIV」を用いる。）に沿った概略断面を示す分解断面図である。図１５は、本実施形態に係る立体表示物展示装置に適用される制御回路部及びその周辺構成を示す機能構成図である。ここで、上述した第１及び第２の実施形態と同等の構成については同一の符号を付してその説明を簡略化する。
【００６４】
第３の実施形態に係る立体表示物展示装置は、例えば図１３に示すように、フレーム２０の収納部２３に、熱膨張性シートからなる立体表示物１０と、当該立体表示物１０の他面側（図面下面側）に密着して配置、又は、貼り付けられた発熱部７０と、制御回路部５０と、電源供給部６０と、が収納されている。立体表示物１０は、例えば図１３、図１４（ａ）、（ｂ）に示すように、上述した第１及び第２の実施形態と同様に、一面側（図面上面側）に所望の彩色画像３１ａ〜３１ｃが形成されている。ここでは、彩色画像３１ａ、３１ｃは立体画像であり、彩色画像３１ｂは平面画像である場合を示す。
【００６５】
発熱部７０は、例えば図１３、図１４（ａ）、（ｂ）に示すように、発熱体搭載シート７１と、発熱パターン７２ａ、７２ｂと、配線７３、７４と、コネクタ７５と、を有している。発熱体搭載シート７１は、立体表示物１０の他面側（図面下面側）の全域に対向するように平面的な広がりを有する絶縁性の平板又はフィルムである。発熱パターン７２ａ、７２ｂは、発熱体搭載シート７１の一面側（図面上面側）であって、フレーム２０に収納された立体表示物１０の一面側を追加隆起させる形成領域に対応するように局所的に配置されている。ここで、発熱パターン７２ａ、７２ｂは、例えば発熱抵抗材料からなる高抵抗の配線層を所定のパターンに配設した構成を有し、その一端側が低抵抗の配線７３を介して、発熱体搭載シート７１の端部から外部に導出されたコネクタ７５に接続され、他端側が低抵抗の配線７４を介して接地電位に接続されている。これにより、発熱パターン７２ａ、７２ｂは、コネクタ７５及び配線７３を介して所定の電力が供給されることにより所定のジュール熱を直接放出する。
【００６６】
そして、本実施形態においては、図１４（ａ）、（ｂ）に示した発熱部７０（発熱体搭載シート７１）の一面側が、立体表示物１０の他面側に密着して配置、又は、貼り付けられた状態で、図１３に示したように、フレーム２０の収納部２３に収納される。このとき、発熱体搭載シート７１の一面側に形成された発熱パターン７２ａ、７２ｂは、立体表示物１０となる熱膨張性シートの基材シート１１の他面側に密着した状態が保持されている。また、立体表示物１０がフレーム２０の収納部２３に収納された状態においては、図１３に示すように、発熱部７０のコネクタ７５がフレーム側の制御回路部５０に電気的に接続される。
【００６７】
なお、立体表示物１０（熱膨張性シート）の他面側には、上述した第１及び第２の実施形態と同様に、発熱部７０の発熱パターン７２ａ、７２ｂから放出されるジュール熱を吸収して良好（効率的）に熱膨張層に伝達するように、追加隆起される形成領域（すなわち、発熱パターン７２ａ、７２ｂ）に対応する領域に、熱吸収パターンが形成されているものであってもよい。
【００６８】
また、制御回路部５０は、例えば図１５に示すように、上述した第１の実施形態と同等の構成を有し、Ｉ／Ｏコントローラ５５に制御スイッチＳＷａ、ＳＷｂが接続されている。各制御スイッチＳＷａ、ＳＷｂは、制御回路部５０側に設けられたコネクタ５７に、上述した発熱部７０のコネクタ７５を接続することにより、各発熱パターン７２ａ、７２ｂに電気的に接続される。ここで、発熱部７０のコネクタ７５は、制御回路部５０の側のコネクタ５７に対して着脱可能な構成を有している。これにより、ＣＰＵ５１からの指令信号（発熱制御信号）に基づいて各制御スイッチＳＷａ、ＳＷｂのオン、オフ状態を設定することにより、電源供給部６０から各発熱パターン７２ａ、７２ｂへの電力の供給状態が制御される。
【００６９】
図１６は、本実施形態に係る立体表示物展示方法における追加隆起の形成方法を示す概略断面図である。ここでは、上述した第１の実施形態に示した立体表示物の展示方法のフローチャートを参照しつつ説明する。なお、第１の実施形態と同等の処理ステップについては同一の符号を付してその説明を簡略化する。また、図１６においても、図示の都合上、基材シートの断面のハッチングを省略した。
【００７０】
上述した構成を有する立体表示物展示装置１００における立体表示物１０の展示方法は、上述した第１の実施形態に示したフローチャート（図３参照）の立体表示物準備ステップＳ１０１において、まず、図１４（ａ）、（ｂ）に示したように、立体表示物１０と、発熱部７０と、を個別に準備する。ここで、立体表示物１０は、上述した実施形態と同様に、熱膨張性シートの一面側（図面上面側）に所望の彩色画像及び立体画像が形成されている。また、発熱部７０は、発熱体搭載シート７１の一面側（図面上面側）に、フレーム２０に収納された後の立体表示物１０の一面側を追加隆起させる形成領域に対応するように発熱パターン７２ａ、７２ｂが形成されている。
【００７１】
次いで、フレーム組み込みステップＳ１０２において、立体表示物１０の他面側（図面下面側）に、発熱部７０の一面側（図面上面側）を対向させて密着させた状態、又は、貼り付けた状態でフレーム２０の収納部２３に収納する。このとき、発熱部７０に設けられたコネクタ７５が、制御回路部５０側のコネクタ５７に接続される。次いで、展示動作設定ステップＳ１０３において、立体表示物１０の一面側を追加隆起させる形成領域や形成タイミング、隆起高さに関する設定データが設定され、相互に関連付けて保存される。
【００７２】
そして、制御回路部５０のタイマー５４において計時動作が開始されると、設定時間検出ステップＳ１０４、追加隆起形成ステップＳ１０５及び最長設定時間検出ステップＳ１０６からなる一連の処理を繰り返し実行する。具体的には、設定時間検出ステップＳ１０４において、ＣＰＵ５１により予め設定された追加隆起の第１の形成タイミングが検出されると、当該第１の形成タイミングに関連付けて保存された、当該追加隆起される形成領域及び隆起高さに関する設定データに基づいて、図１５に示したＩ／Ｏコントローラ５５が制御スイッチＳＷｂをオン動作させる。これにより、電源供給部６０から制御スイッチＳＷｂ、コネクタ５７、７５、配線７３を介して、発熱パターン７２ｂに所定の電力が供給され、図１６（ａ）中に太線枠で示すように、発熱パターン７２ｂから所定のジュール熱が放出されて、当該発熱パターン７２ｂに対応する領域の熱膨張層１２が加熱されて膨張し、所定の高さの隆起領域１２ｂが形成される。
【００７３】
次いで、上記と同様に、ＣＰＵ５１により予め設定された追加隆起の第２の形成タイミングが検出されると、当該第２の形成タイミングに関連付けて保存された、当該追加隆起される形成領域及び隆起高さに関する設定データに基づいて、Ｉ／Ｏコントローラ５５が制御スイッチＳＷａをオン動作させる。これにより、電源供給部６０から制御スイッチＳＷａ、コネクタ５７、７５、配線７３を介して、発熱パターン７２ａに所定の電力が供給され、図１６（ｂ）中に太線枠で示すように、発熱パターン７２ａから所定のジュール熱が放出されて、当該発熱パターン７２ａに対応する領域の熱膨張層１２が加熱されて膨張し、所定の高さの隆起領域１２ｄが形成される。
【００７４】
このような一連の処理は、ＣＰＵ５１により予め設定された全ての形成タイミング（すなわち、最後の形成タイミング）が検出されて全ての追加隆起が形成されるまで繰り返し実行される。
【００７５】
このように、本実施形態においても、上述した第１の実施形態（図９参照）と同様に、フレーム２０に組み込まれた立体表示物１０を、設定した時間（形成タイミング）ごとに所定の領域を順次追加隆起させることができ、立体表示物１０の表面状態を変化させることができる。したがって、立体表示物の鑑賞者やユーザーの興味や関心、好奇心を長期にわたり持続させることができる。
【００７６】
また、本実施形態においては、フレーム２０に収納される立体表示物１０の他面側の全域に対向するように発熱部７０が予め密着するように配置され、コネクタ７５を介して制御回路部５０に接続される構成を有している。したがって、発熱部の発熱パターンから放出された熱エネルギーを、当該発熱パターンに対応する領域の熱膨張層に効率的に伝達することができ、所望の領域に所望の高さの隆起領域を形成することができる。さらに、所定の領域に発熱パターンが形成された発熱部を、立体表示物１０の他面側に密着、又は、貼り付けて一体的に構成した立体表示物を、フレームに差し替えるように収納（交換）することにより、同一のフレームを継続的に利用することができる。この場合、発熱部と制御回路部をコネクタ接続し、さらに、立体表示物の絵柄に応じて追加隆起させる形成領域や形成タイミング、隆起高さに関する設定データを再設定する簡易な操作で、所望の領域を追加隆起させて表面状態を変化させることができるので、使い勝手がよく、経済的な立体表示物展示装置を提供することができる。
【００７７】
なお、上述した各実施形態においては、フレームに収納された立体表示物の任意の領域を、任意の形成タイミングで任意の高さに追加隆起させて、１乃至複数回立体表示物の表面状態を変化させる場合について説明したが、本発明はこれに限定されるものではない。すなわち、フレームに収納（額装）された立体表示物の表面状態を、所定のタイミングや時間の経過に応じて変化させることができるものであれば適用することができる。例えば、予め絵柄の決められた立体表示物において、規定の領域を規定のタイミングで規定の高さに追加隆起させる場合には、当該形成領域に対応して配置された発熱体や発熱パターンに対して、タイマーにより所定の電力を供給する電源供給部のみが直接接続された構成を有するものであってもよい。この場合、タイマーが規定のタイミングを検出することにより規定の電力が発熱体や発熱パターンに供給されて、当該領域に規定の隆起高さを有する追加隆起が形成される。したがって、例えば特定の日時に追加隆起を１回だけ形成すればよい製品仕様の場合には、上述した制御プログラムを実行するＣＰＵやメモリ等の構成を省略することができ、安価な立体表示物展示装置を提供することができる。
【００７８】
また、上述した各実施形態においては、フレームに収納された立体表示物の任意の領域を任意の形成タイミングで追加隆起させて、立体表示物の表面状態を変化させる場合について説明したが、本発明はこれに限定されるものではない。すなわち、立体表示物の所望の領域を追加隆起させて、表面形状の変化を用いた視覚効果により鑑賞者やユーザーの興味や関心、好奇心を持続させる手法に加え、音響効果や他の視覚効果等による演出効果を複合的に用いた構成や手法を有するものであってもよい。ここで、音響効果としては、立体表示物展示装置にスピーカ等の音響装置を備え、例えば季節に応じて鳥のさえずりや虫の鳴き声、川のせせらぎ等の音源を変化させる手法を用いることができる。また、他の視覚効果としては、立体表示物展示装置にＬＥＤ等の照明装置を備え、例えば立体表示物の表面に照射される光量や照明色等を変化させる手法を用いることができる。
【００７９】
また、上述した各実施形態においては、タイマーにより予め設定された形成タイミングを計時し、当該タイミングの到来を検出することにより、立体表示物の一面側を追加隆起させる構成及び手法について説明したが、本発明はこれに限定されるものではない。すなわち、フレームに設けられた操作スイッチを操作することにより、あるいは、Ｉ／Ｆ部を介して外部の情報処理装置から制御信号を送信することにより、鑑賞者やユーザーが所望するタイミングで直ぐに、立体表示物の表面状態を変化させたり、上記の演出効果を実行させたりするものであってもよい。
【００８０】
以上、本発明のいくつかの実施形態について説明したが、本発明は、上述した実施形態に限定されるものではなく、特許請求の範囲に記載された発明とその均等の範囲を含むものである。
以下に、本願出願の当初の特許請求の範囲に記載された発明を付記する。
【００８１】
（付記）
［１］
基材の一面側を隆起させて立体画像を形成可能な表示物と、
前記基材の他面側に配置され、所定のエネルギーを放出するエネルギー放出部と、
前記エネルギーを生成するための電力を供給する電源供給部と、
計時機能を備え、所定のタイミングで前記電源供給部から前記エネルギー放出部に前記電力を供給させる制御を行うことにより、前記エネルギー放出部から前記エネルギーを放出させて、前記基材の前記一面側の所定の領域を隆起させる制御回路部と、
前記表示物と前記エネルギー放出部と前記電源供給部と前記制御回路部とを内部に収納し、少なくとも前記基材の前記一面側を表示可能なフレームと、
を有することを特徴とする立体表示物展示装置である。  
【００８２】
［２］
前記基材は、基材シートの一面側に熱膨張層が形成された熱膨張性シートであり、
前記エネルギー放出部は、前記電源供給部から供給される前記電力に基づいて生成される熱エネルギーを放出する発熱部、又は、前記電力に基づいて生成される赤外線波長を含む光エネルギーを放出する光源であることを特徴とする［１］に記載の立体表示物展示装置である。
［３］
前記基材は、前記一面側を隆起させる前記所定の領域に対応して、前記他面側に前記エネルギー放出部から放出された前記エネルギーを吸収して前記一面側の前記所定の領域に熱として伝達するための熱吸収パターンが形成されていることを特徴とする［２］記載の立体表示物展示装置である。
［４］
前記エネルギー放出部は、前記熱吸収パターンに対向するように局所的に配置されていることを特徴とする［３］記載の立体表示物展示装置である。
［５］
前記エネルギー放出部は、前記基材の前記他面側の略全域に対向するように平面的に配置されていることを特徴とする［１］乃至［３］のいずれかに記載の立体表示物展示装置である。
［６］
前記エネルギー放出部は、前記基材の前記他面側に近接、又は、密着して配置されていることを特徴とする［４］又は［５］に記載の立体表示物展示装置である。
［７］
前記フレームは、少なくとも前記基材を、他の基材に交換可能なように収納する構成を有していることを特徴とする［１］乃至［６］のいずれかに記載の立体表示物展示装置である。
［８］
前記フレームは、少なくとも前記基材と、前記基材の前記他面側に密着して配置された前記エネルギー放出部とを、他の基材及び他のエネルギー放出部に交換可能なように収納する構成を有していることを特徴とする［６］に記載の立体表示物展示装置である。
【００８３】
［９］
基材の一面側を隆起させて立体画像を形成可能な表示物を、前記一面側を表示可能にフレームの内部に収納させ、
所定のタイミングで前記基材の他面側に配置されたエネルギー放出部から、所定のエネルギーを放出させて、前記基材の前記一面側の所定の領域を隆起させる、
ことを特徴とする立体表示物の展示方法である。
【００８４】
［１０］
前記所定のタイミングで１乃至複数回、前記エネルギー放出部から前記エネルギーを放出させて、前記基材の前記一面側の前記所定の領域を１乃至複数回隆起させることを特徴とする［９］記載の立体表示物の展示方法である。
［１１］
少なくとも前記タイミング及び前記隆起させる領域は、任意のタイミング及び任意の領域に設定可能であることを特徴とする［９］又は［１０］に記載の立体表示物の展示方法である。
［１２］
前記基材は、他の基材に交換可能なように前記フレームに収納されることを特徴とする［９］乃至［１１］のいずれかに記載の立体表示物の展示方法である。
［１３］
前記基材は、基材シートの一面側に熱膨張層が形成された熱膨張性シートであり、
前記エネルギー放出部は、熱エネルギー、又は、赤外線波長を含む光エネルギーを放出することを特徴とする［９］乃至［１２］のいずれかに記載の立体表示物の展示方法である。
【符号の説明】
【００８５】
１０      立体表示物
１０ｘ    熱膨張性シート（基材）
１１      基材シート
１２      熱膨張層
１２ａ〜１２ｄ    隆起領域
２０      フレーム
２３      収納部
３１ａ〜３１ｃ    彩色画像
３２ａ〜３２ｃ    熱吸収パターン
４１、４１ａ〜４１ｃ    発熱体（エネルギー放出部）
４５      発熱部（エネルギー放出部）
５０      制御回路部
５１      ＣＰＵ
５２      ＲＯＭ
５３      ＲＡＭ
５４      タイマー
５５      Ｉ／Ｏコントローラ
５６      Ｉ／Ｆ部
６０      電源供給部
７０      発熱部（エネルギー放出部）
７１      発熱体搭載シート
７２ａ、７２ｂ    発熱パターン
７５      コネクタ
１００    立体表示物展示装置
【図１】
2014006420.tif 000003
【図２】
2014006420.tif 000004
【図３】
2014006420.tif 000005
【図４】
2014006420.tif 000006
【図５】
2014006420.tif 000007
【図６】
2014006420.tif 000008
【図７】
2014006420.tif 000009
【図８】
2014006420.tif 000010
【図９】
2014006420.tif 000011
【図１０】
2014006420.tif 000012
【図１１】
2014006420.tif 000013
【図１２】
2014006420.tif 000014
【図１３】
2014006420.tif 000015
【図１４】
2014006420.tif 000016
【図１５】
2014006420.tif 000017
【図１６】
2014006420.tif 000018